(57)【要約】      （修正有） 【課題】断熱性に優れると共に、調湿性を備えて結露の発生を低減することができる二重障子を提供する。【解決手段】上桟１１、下桟１２及び竪框１３により形成される枠体部１４と、枠体部内方に配設される横子１５及び竪子１６により格子状に形成された組子１７と、により形成された障子本体１８を備え、障子本体の両面には障子紙１９が貼着されて内部に空気層が形成された二重障子１０であって、障子本体の一方の側面に貼着された障子紙は、和紙である。【選択図】図１
0003197888.tif 000002
【実用新案登録請求の範囲】
【請求項１】
上桟、下桟及び竪框により形成される枠体部と、前記枠体部内方に配設される横子及び竪子により格子状に形成された組子と、により形成された障子本体を備え、前記障子本体の両面には障子紙が貼着されて内部に空気層が形成された二重障子であって、前記障子本体の一方の側面に貼着された障子紙は、和紙であることを特徴とする二重障子。
【請求項２】
前記枠体部は全体長方形状に形成され、前記枠体部の内周面には、前記障子紙の貼り代として、付子が設けられており、前記組子及び前記付子の前記障子本体厚さ方向の寸法は、前記枠体部よりも小さい寸法に形成されていると共に、前記枠体部の一方の側面と略同一平面となるように配されており、前記障子紙は、前記障子本体の前記組子及び前記付子に貼着されていることを特徴とする請求項１に記載の二重障子。
【請求項３】
前記付子は、全体棒状に形成され、前記組子とは別体に設けられて、前記枠体部の内周面に沿って固定されていることを特徴とする請求項２に記載の二重障子。
【請求項４】
前記障子本体の他方の側面に貼着された前記障子紙は、パルプにレーヨン繊維を配合して形成された障子紙であることを特徴とする請求項３に記載の二重障子。
【請求項５】
前記竪框には、引手が設けられていることを特徴とする請求項３に記載の二重障子。
【考案の詳細な説明】
【技術分野】
【０００１】
本考案は、障子紙を二重に備えた二重障子の改良に関する。
【背景技術】
【０００２】
障子は、外部からの視界を遮りながらも適度な透光性を有しており、日本の家屋における建具として古来より広く利用されており、和の文化を象徴する建具である。現在においても、ガラス窓サッシの室内側に設けられて、利用されている。
【０００３】
近年の住宅においては、例えば、複数階の建物で２階床面を設けずに１階床面から２階天井までの空間を１つの空間として形成する所謂吹き抜け構造を備える住宅が増えるなど、住宅の構造も大きく変化している。
【０００４】
吹き抜け構造のように大きな空間を設けることにより、冷暖房を行う際には、より大容量の空気について温度を調節する必要があることから、光熱費が増大して家計を圧迫する要因の一つとなっていた。そこで、より断熱性能の高い障子が求められていた。
【０００５】
断熱性能を高めた障子としては、特許文献１の縦桟材および横桟材の両面に障子紙が貼設された断熱障子が提案されている。特許文献１の断熱障子は、両面に貼設された障子紙、縦桟材および横桟材によって区画された断熱空気層が形成されるため、断熱性に優れている。
【０００６】
しかしながら、障子は、現在のようにガラス窓サッシの室内側に設置される場合には、外気温度と室内温度との差が大きいことから、障子のガラス窓サッシ側の面に結露が生じやすく、敷居に水滴が垂れてしまったり、障子紙が水分により痛んでしまう。特許文献１の断熱障子は、このような課題を解決しうるものではなかった。
【０００７】
一方で、特許文献２の二重障子おいては、障子の一方の面には、障子紙に替えて透明フィルムを貼付することが開示されているが、透明フィルムでは調湿性能はないため、水滴が垂れてしまう事態を防止することはできなかった。断熱性に優れ、調湿性を備える障子が要望されていた。
【特許文献１】公開特許第２００８−０１３９７０号公報
【特許文献２】公開実用新案第昭和５７−１２９１号公報
【考案の開示】
【考案が解決しようとする課題】
【０００８】
そこで、本考案は、このような従来の要請に基づくものであって、断熱性に優れると共に、調湿性を備えて結露の発生を低減することができる二重障子を提供することを課題とする。
【課題を解決するための手段】
【０００９】
前記課題を解決するために、請求項１に記載の二重障子にあっては、上桟、下桟及び竪框により形成される枠体部と、前記枠体部内方に配設される横子及び竪子により格子状に形成された組子と、により形成された障子本体を備え、前記障子本体の両面には障子紙が貼着されて内部に空気層が形成された二重障子であって、前記障子本体の一方の側面に貼着された障子紙は、和紙であることを特徴とする。
【００１０】
従って、請求項１に記載の二重障子にあっては、前記障子本体の一方の側面に貼着された障子紙は、和紙であることから、和紙の調湿作用により、結露を生じ難く、湿気を吸収した状態においても破断しにくい。また、太陽光などにより変色し難い。
【００１１】
請求項２に記載の二重障子にあっては、前記枠体部は全体長方形状に形成され、前記枠体部の内周面には、前記障子紙の貼り代として、付子が設けられており、前記組子及び前記付子の前記障子本体厚さ方向の寸法は、前記枠体部よりも小さい寸法に形成されていると共に、前記枠体部の一方の側面と略同一平面となるように配されており、前記障子紙は、前記障子本体の前記組子及び前記付子に貼着されていることを特徴とする。
【００１２】
従って、請求項２に記載の二重障子にあっては、前記障子紙は、前記障子本体の前記組子及び前記付子に貼着されていることから、枠体部の一部を貼り代として利用することなく、障子紙を貼着することができる。
【００１３】
請求項３に記載の二重障子にあっては、前記付子は、全体棒状に形成され、前記組子とは別体に設けられて、前記枠体部の内周面に沿って固定されていることを特徴とする。
【００１４】
従って、請求項３に記載の二重障子にあっては、前記付子は、全体棒状に形成され、前記組子とは別体に設けられて、前記枠体部の内周面に沿って固定されていることから、例えば、付子を備えていない障子に、別体に設けられた付子を固定することができる。
【００１５】
請求項４に記載の二重障子にあっては、前記障子本体の他方の側面に貼着された前記障子紙は、パルプにレーヨン繊維を配合して形成された障子紙であることを特徴とする。
【００１６】
従って、請求項４に記載の二重障子にあっては、前記障子本体の他方の側面に貼着された前記障子紙は、パルプにレーヨン繊維を配合して形成された障子紙であることから、パルプのみからなる障子紙に比べて高い強度を備えることができる。
【００１７】
請求項５に記載の二重障子にあっては、前記竪框には、引手が設けられていることを特徴とする。
【００１８】
従って、請求項５に記載の二重障子にあっては、竪框に設けられた引手に指を掛けることができる。
【考案の効果】
【００１９】
請求項１に記載の二重障子にあっては、障子特有の採光性を備えながら、内部に熱伝導率の低い空気層が形成されることにより、通常の障子に比べて断熱効果が高く、居心地良く快適な空間を得ることができると共に、冷暖房費等の電気代を節約することができる。
【００２０】
また、和紙の調湿作用により、結露を生じ難いため、例えば、温度差の大きいガラス窓サッシ側の面に和紙を備えるよう配置することにより、有効に結露を防止することができる。また、湿気を吸収した状態においても破断しにくく、太陽光などにより変色しにくいことから、長期に亘って利用することができる。
【００２１】
請求項２に記載の二重障子にあっては、枠体部の一部を貼り代として利用することなく、障子紙を貼着することができるため、例えば、枠体部に装飾を施した場合や引手を設けた場合に、視覚を遮ることがない。
【００２２】
請求項３に記載の二重障子にあっては、付子を備えていない障子に、別体に設けられた付子を固定することができるため、例えば、既存の障子に付子を固定し、障子紙を貼り替えることにより、容易に本考案の二重障子を構成することもでき、障子全体を更新する必要がなく低コストである。
【００２３】
請求項４に記載の二重障子にあっては、パルプのみからなる障子紙に比べて高い強度を備えることができ、例えば、パルプにレーヨン繊維を配合して形成された障子紙を、損傷しやすい室内側に配置することにより、長期に亘って利用可能となる。
【図面の簡単な説明】
【００２４】
【図１】図１は、本考案に係る二重障子の一実施の形態を示した斜視図である。
【図２】図２は、本考案に係る二重障子の一実施の形態を示し、図１におけるII−II断面図である。
【考案を実施するための最良の形態】
【００２５】
以下、本考案に係る二重障子を実施の形態に基づき、図面を参照して詳細に説明する。
【００２６】
図１及び図２に示すように、本考案に係る二重障子１０は、上桟１１、下桟１２及び左右一対の竪框１３，１３により形成される枠体部１４と、枠体部１４内方に配設される横子１５及び竪子１６により格子状に形成された組子１７とにより形成された障子本体１８を備えている。障子本体１８の厚さ方向両面には障子紙１９，１９が貼着されて内部に空気層２０が形成されている。障子本体１８は木の角材を用いて形成されている。
【００２７】
本実施の形態においては、横子１５は、枠体部１４の高さ方向において均等に３本設けられている。また、竪子１６は、枠体部１４の横幅方向において均等に３本設けられている。
【００２８】
図１及び図２に示すように、枠体部１４は全体長方形状に形成され、枠体部１４の内周面２１には、障子紙１９の貼り代として、付子２２が設けられており、組子１７及び付子２２の障子本体１８厚さ方向の寸法Ｌは、枠体部１４の障子本体１８厚さ方向の寸法Ｌ２よりも小さい寸法に形成されていると共に、枠体部１４の一方の側面２３と略同一平面となるように配されており、障子紙１９，１９は、障子本体１８の組子１７及び付子２２に糊付けにより貼着されている。
【００２９】
付子２２は、全体棒状に形成され、組子１７とは別体に設けられて、枠体部１４の内周面２１に沿って固定されている。付子２２は、組子１７と同径の木の角材が用いられている。
【００３０】
組子１７を構成する横子１５及び竪子１６と、付子２２とは其々、枠体部１４を構成する上桟１１、下桟１２及び左右一対の竪框１３，１３よりも細径の木材が用いられている。一方の竪框１３には、引手２４が設けられている。引手２４は平面視において細長長方形状に上下方向に沿って形成されており、１ｃｍの深さ寸法を備えている。
【００３１】
図２に示すように、障子本体の一方の側面２５に貼着された障子紙１９は、和紙１９ａであり、障子本体の他方の側面２６に貼着された障子紙１９は、パルプにレーヨン繊維を配合して形成された障子紙１９ｂである。
【００３２】
図１に示すように、本実施の形態においては、引手２４は、障子本体の他方の側面２６に設けられており、室内側に位置し、これと対向する障子本体の一方の側面２５は、ガラス窓サッシ（図示せず）側に位置するよう配されている。
【００３３】
図１及び図２に示すように、枠体部１４の下端部２７には、敷居の溝部（図示せず）に係合される敷居段差部２８と、枠体部１４の上端部２９には、鴨居の溝部（図示せず）に係合される鴨居段差部３０とが其々幅方向に沿って形成されている。
【００３４】
以下、本考案に係る二重障子１０の作用について、図面を参照して詳細に説明する。
【００３５】
本考案に係る二重障子１０は、木材より形成された障子本体１８と障子紙１９にて構成されていることから、日本古来の和室の景観に適するものである。
【００３６】
二重障子１０は、和室において、ガラス窓サッシ（図示せず）の室内側に設けられた敷居及び鴨居の溝部（図示せず）に敷居段差部２８と鴨居段差部３０とを係合させて設置し、引手２４に指を掛けて動作させることにより、横方向に開閉可能に設置される。
【００３７】
図２に示すように、組子１７及び付子２２の両面に障子紙１９が貼着されることにより、組子１７、付子２２及び障子紙１９によって区画された空気層２０が形成される。空気は比較的熱伝導率が低いことから、断熱効果を得ることができる。
【００３８】
また、ガラス窓サッシ側の障子本体の一方の側面２５には、和紙１９ａを備えており、和紙１９ａの調湿作用により、結露を生じ難く、湿気を吸収した状態においても破断しにくい。また、太陽光などにより変色し難い。
【００３９】
生活において破損しやすい室内側の障子本体の他方の側面２６には、パルプにレーヨン繊維を配合して形成された障子紙１９ｂを備えており、パルプのみからなる障子紙に比べて高い強度を有する。
【産業上の利用可能性】
【００４０】
本考案に係る二重障子は、既存の障子の代替として製造販売する、あるいは既存の障子に手を加えることにより得ることができ、家庭等において利用することができるため産業上利用可能性を有している。
【符号の説明】
【００４１】
１０    二重障子
１１    上桟
１２    下桟
１３    竪框
１４    枠体部
１５    横子
１６    竪子
１７    組子
１８    障子本体
１９    障子紙
１９ａ  和紙
１９ｂ  パルプにレーヨン繊維を配合して形成された障子紙
２０    空気層
２１    内周面
２２    付子
２３    一方の側面
２４    引手
２５    障子本体の一方の側面
２６    障子本体の他方の側面
２７    下端部
２８    敷居段差部
２９    上端部
３０    鴨居段差部
【図１】
0003197888.tif 000003
【図２】
0003197888.tif 000004